(57)【特許請求の範囲】
【請求項１】
設定値に基づきジョブを実行するジョブ実行部と、
前記ジョブに関する設定値を変更するための設定キーを複数有する操作パネルと、
画像形成装置に対する操作を検知する検知部と、
予め定められた初期設定値を記憶するとともに、前記ジョブに関する設定値の変更のためのキー操作が行われた場合には変更された設定値を記憶する記憶部と、
前記ジョブに関する設定値の変更のためのキー操作が行われた時点または変更後の設定値に基づくジョブ終了の時点から画像形成装置に対する操作を前記検知部が検知しないままオートクリア時間が経過した時点で、変更後の設定値を初期設定値に自動的に変更するオートクリア処理を行う制御部と、を備え、
前記制御部は、前記ジョブに関する設定値の変更時における前記設定キーの押下回数をカウントし、前記設定キーの押下回数が多いほど、前記オートクリア時間が長くなるように前記オートクリア時間を設定し、
前記制御部は、変更後の設定値に基づくジョブ終了の時点から前記オートクリア時間が経過するまでの間に、設定値の変更のためのキー操作が新たに行われた場合、ジョブ実行前の設定値の変更時における前記設定キーの押下回数とジョブ終了後の設定値の変更時における前記設定キーの押下回数とを合計した前記設定キーの押下回数に基づき、前記オートクリア時間を設定することを特徴とする画像形成装置。
【請求項２】
設定値に基づきジョブを実行するジョブ実行部と、
前記ジョブに関する設定値を変更するための設定キーを複数有する操作パネルと、
画像形成装置に対する操作を検知する検知部と、
予め定められた初期設定値を記憶するとともに、前記ジョブに関する設定値の変更のためのキー操作が行われた場合には変更された設定値を記憶する記憶部と、
前記ジョブに関する設定値の変更のためのキー操作が行われた時点または変更後の設定値に基づくジョブ終了の時点から画像形成装置に対する操作を前記検知部が検知しないままオートクリア時間が経過した時点で、変更後の設定値を初期設定値に自動的に変更するオートクリア処理を行う制御部と、を備え、
前記制御部は、前記ジョブに関する設定値の変更時における前記設定キーの押下回数をカウントし、前記設定キーの押下回数が多いほど、前記オートクリア時間が長くなるように前記オートクリア時間を設定し、
前記制御部は、前記オートクリア時間を設定するとき、設定値の変更時における前記設定キーの押下回数が増加する毎に前記オートクリア時間を所定時間ずつ長くし、
前記制御部は、前記オートクリア処理を実行した後、予め定められた時間が経過する前に設定値の変更のためのキー操作が行われた場合、前記所定時間を従前の前記所定時間よりも長くすることを特徴とする画像形成装置。
【請求項３】
前記制御部は、前記オートクリア処理を実行した後、直近にカウントした前記設定キーの押下回数をリセットすることを特徴とする請求項１または２に記載の画像形成装置。
【請求項４】
前記制御部は、同一の設定値を連続して変更するキー操作が行われたとき、連続するキー操作のうち、最初の前記設定キーの押下時点では、前記オートクリア時間を長くする設定を行い、以降の前記設定キーの押下時点では、前記オートクリア時間を長くする設定は行わず、最初の前記設定キーの押下時点で設定した前記オートクリア時間をそのまま適用することを特徴とする請求項１〜３のいずれかに記載の画像形成装置。
【請求項５】
前記記憶部は、前記オートクリア時間の上限時間を記憶し、
前記制御部は、前記上限時間を越えないように前記オートクリア時間を設定することを特徴とする請求項１〜４のいずれかに記載の画像形成装置。
【発明の詳細な説明】
【技術分野】
【０００１】
本発明は、画像形成装置に関する。
【背景技術】
【０００２】
画像形成装置では、ジョブの機能に関する設定値の変更をユーザーから受け付けるための操作パネルが備えられている。この操作パネルには、設定値を変更するための設定キーを表示するタッチパネルが設けられる場合もあるし、設定値を変更するための設定キー（ハードキー）そのものが設けられる場合もある。そして、ユーザーは、操作パネルに対してキー操作を行うことによって、ジョブの機能に関する設定値をデフォルト値から自身の所望する設定値に変更することができる。たとえば、コピージョブの場合、ユーザーが設定変更できる設定項目としては、用紙選択、縮小／拡大、濃度、両面／分割およびページ集約などが挙げられる。
【０００３】
ここで、画像形成装置にオートクリア機能を持たせる場合がある。オートクリア機能というのは、キー操作が行われた時点またはジョブ終了の時点から画像形成装置に対する操作が無いまま一定時間が過ぎた場合に、従前に変更された設定値をデフォルト値に自動的に戻す処理（以下、オートクリア処理と称する）のことである。オートクリア機能を有する画像形成装置は、たとえば、特許文献１に開示されている。
【先行技術文献】
【特許文献】
【０００４】
【特許文献１】特開２００６−１３３９９８号公報
【発明の概要】
【発明が解決しようとする課題】
【０００５】
通常、キー操作が行われた時点またはジョブ終了の時点からオートクリア処理を実行するまでの時間（以下、オートクリア時間と称する）は固定されている。そして、オートクリア時間が固定されていると、以下のような不都合が発生する。
【０００６】
たとえば、オートクリア時間が比較的短い時間に固定されているとする。この場合、ユーザーが設定値の変更を行っている最中に画像形成装置から一旦離れるなどする（画像形成装置に対する操作が無いまま放置される）と、その間にオートクリア時間が経過し、既に変更していた設定値がリセットされてしまう可能性がある。このため、ユーザーからすると、設定値の変更のための操作を最初からやり直さなければならないので、利便性が悪い。
【０００７】
なお、オートクリア時間が比較的長い時間に固定されていた場合には、ユーザーが画像形成装置を使用するとき、従前の変更後の設定値が保持されたままになっていることが多くなる。このため、ユーザーが現時点の設定値を確認していなければ、ユーザーが意図しない設定値（従前に変更された設定値）で誤ってジョブを実行してしまう可能性が高くなる。したがって、ユーザーからすると、画像形成装置の使用に際して、現時点の設定値を常に確認したり変更したりしなければならないので、利便性が悪い。
【０００８】
本発明は、上記課題を解決するためになされたものであり、ユーザーの利便性を向上させることが可能な画像形成装置を提供することを目的とする。
【課題を解決するための手段】
【０００９】
上記目的を達成するために、本発明の画像形成装置は、設定値に基づきジョブを実行するジョブ実行部と、設定値を変更するための設定キーを有する操作パネルと、画像形成装置に対する操作を検知する検知部と、予め定められた初期設定値を記憶するとともに、設定値の変更のためのキー操作が行われた場合には変更された設定値を記憶する記憶部と、設定値の変更のためのキー操作が行われた時点または変更後の設定値に基づくジョブ終了の時点から画像形成装置に対する操作を検知部が検知しないままオートクリア時間が経過した時点で、変更後の設定値を初期設定値に自動的に変更するオートクリア処理を行う制御部と、を備えている。そして、制御部は、設定値の変更時における設定キーの押下回数をカウントし、設定キーの押下回数が多いほど、オートクリア時間が長くなるようにオートクリア時間を設定する。
【００１０】
本発明の構成によると、制御部は、設定値の変更時における設定キーの押下回数をカウントし、設定キーの押下回数が多いほど、オートクリア時間が長くなるようにオートクリア時間を設定する。すなわち、本発明の構成では、設定値の変更時における設定キーの押下回数が多くなれば、設定値の変更のためのキー操作が行われた時点からオートクリア処理が実行されるまでの時間が長くなる。これにより、多くのキー操作を必要とする（設定キーの押下回数が多くなる）設定値の変更を行いたいユーザーからすると、設定値の変更を行っている最中に画像形成装置から一旦離れるなどした場合（直近の設定キーの押下から次に設定キーを押下するまでに時間がかかる場合）であっても、オートクリア処理が実行されることに起因して設定値の変更のためのキー操作を最初からやり直さなければならない（多くのキー操作を行わなければならない）、という不都合の発生が抑制され、利便性が良い。
【００１１】
また、本発明の構成では、設定値の変更時における設定キーの押下回数が多くなれば、変更後の設定値に基づくジョブ終了の時点からオートクリア処理が実行されるまでの時間が長くなる。これにより、変更後の設定値に基づくジョブ終了後に再度同じ設定でジョブを実行させたいユーザーからすると、変更後の設定値に基づくジョブ終了後に短時間でオートクリア処理が実行されることに起因して設定値の変更のためのキー操作を最初からやり直さなければならない、という不都合の発生が抑制され、利便性が良い。
【００１２】
さらに、本発明の構成では、設定値の変更時における設定キーの押下回数が少なければ、設定値の変更のためのキー操作が行われた時点または変更後の設定値に基づくジョブ終了の時点からオートクリア処理が実行されるまでの時間が短くなる。すなわち、オートクリア時間が常に長く設定されているわけではない。これにより、従前に変更された設定値が長時間にわたってそのまま保存されていることに起因してユーザーが意図しない設定値（従前に変更された設定値）で誤ってジョブを実行してしまう、という不都合の発生を抑制することができ、ユーザーの利便性が向上する。なお、設定値の変更が比較的少ないキー操作で済む場合、仮に、オートクリア処理の実行により変更後の設定値がユーザーの意図に反して初期設定値に戻ってしまったとしても、比較的少ないキー操作で設定値を再度変更することができるので、ユーザーにかかる負担は少ない。
【００１３】
上記構成において、好ましくは、制御部は、変更後の設定値に基づくジョブ終了の時点からオートクリア時間が経過するまでの間に、設定値の変更のためのキー操作が新たに行われた場合、ジョブ実行前の設定値の変更時における設定キーの押下回数とジョブ終了後の設定値の変更時における設定キーの押下回数とを合計した設定キーの押下回数に基づき、オートクリア時間を設定する。このように構成すれば、変更後の設定値に基づくジョブ終了後に従前の設定値（変更後の設定値）に対して再度変更を加えたいユーザーからすると、変更後の設定値に基づくジョブ終了後に再度行った設定値の変更時の設定キーの押下回数の増加に応じてオートクリア時間がさらに長くなるので、オートクリア処理の実行タイミングが早いことに起因して設定値の変更のためのキー操作を最初からやり直さなければならない、という不都合の発生が抑制され、利便性が良い。
【００１４】
上記構成において、好ましくは、制御部は、オートクリア処理を実行した後、直近にカウントした設定キーの押下回数をリセットする。このように構成すれば、カウントした設定キーの押下回数が累積され続けることに起因してオートクリア時間が長くなり過ぎてしまう（次にオートクリア処理を実行するまでに時間がかかってしまう）、という不都合が発生するのを抑制することができる。
【００１５】
上記構成において、好ましくは、制御部は、オートクリア時間を設定するとき、設定値の変更時における設定キーの押下回数が増加する毎にオートクリア時間を所定時間ずつ長くする。このように構成すれば、容易に、オートクリア時間を設定値の変更時における設定キーの押下回数に応じた時間にすることができる。
【００１６】
この場合、制御部は、オートクリア処理を実行した後、予め定められた時間が経過する前に設定値の変更のためのキー操作が行われた場合、所定時間（設定キーの押下回数が増加する毎にオートクリア時間に加算する時間）を従前の所定時間よりも長くしてもよい。ここで、オートクリア処理を実行した直後に設定値の変更のためのキー操作が行われた場合には、ユーザーが設定値の変更を終える前にオートクリア処理を実行した可能性がある。すなわち、オートクリア処理に入るタイミングが早過ぎたと考えられる。したがって、このような不都合を解消するためには、オートクリア処理を実行した後、予め定められた時間が経過する前に設定値の変更のためのキー操作が行われた場合に、所定時間（設定キーの押下回数が増加する毎にオートクリア時間に加算する時間）を従前の所定時間よりも長くすればよい。
【００１７】
上記構成において、好ましくは、制御部は、同一の設定値を連続して変更するキー操作が行われたとき、連続するキー操作のうち、最初の設定キーの押下時点では、オートクリア時間を長くする設定を行い、以降の設定キーの押下時点では、オートクリア時間を長くする設定は行わず、最初の設定キーの押下時点で設定したオートクリア時間をそのまま適用する。このように構成すれば、設定値の変更のためのキー操作そのものは容易である（同一の設定キーを押下するだけでよい）にもかかわらずオートクリア時間が長くなり過ぎてしまう、という不都合が生じるのを抑制することができる。
【００１８】
上記構成において、好ましくは、記憶部は、オートクリア時間の上限時間を記憶し、制御部は、上限時間を越えないようにオートクリア時間を設定する。このように構成すれば、ユーザーが設定値の変更のためのキー操作を間違えるなどして設定キーの押下回数が非常に多くなったとしても、オートクリア時間が長くなり過ぎることはない。
【００１９】
上記構成において、ジョブ実行部は、原稿を読み取る画像読取部と、画像読取部に対して開閉可能に取り付けられているとともに、セットされた原稿を画像読取部に搬送する原稿搬送部と、を少なくとも含み、検知部は、原稿搬送部への原稿のセットを検知する原稿検知センサーと、原稿搬送部の開閉を検知する開閉検知センサーと、を少なくとも含む。そして、制御部は、原稿検知センサーの出力により原稿搬送部への原稿のセットを検知したときには、原稿搬送部への原稿のセットを検知した時点を直近に設定したオートクリア時間の起点とし、開閉検知センサーの出力により原稿搬送部の開閉を検知したときには、原稿搬送部の開閉を検知した時点を直近に設定したオートクリア時間の起点としてもよい。このように構成すれば、ユーザーからすると、原稿搬送部に原稿のセットした時点または原稿搬送部を開閉した時点がオートクリア時間の起点となるので、利便性が良い。
【００２０】
上記構成において、通常モードでは、ジョブ実行部に通常の電力供給を行い、制御部がオートクリア処理を実行した時点または制御部がオートクリア処理を実行してから一定時間が経過した時点で、通常モードから省電力モードに移行し、省電力モードでは、ジョブ実行部に行う電力供給を停止する電源部を備えていてもよい。このように構成すれば、オートクリア時間が短く設定された場合（オートクリア処理に入るタイミングが早い場合）には、通常モードから省電力モードへの移行タイミングが早くなるので、省電力効果が高まる。
【発明の効果】
【００２１】
以上のように、本発明によれば、ユーザーの利便性を向上させることが可能な画像形成装置を容易に得ることができる。
【図面の簡単な説明】
【００２２】
【図１】本発明の一実施形態による画像形成装置の概略図
【図２】図１に示した画像形成装置の操作パネルの平面図
【図３】図１に示した画像形成装置のハードウェア構成を示した図
【図４】図１に示した画像形成装置の操作パネルに表示される画面の図
【図５】図１に示した画像形成装置の操作パネルに表示される画面の図
【図６】図１に示した画像形成装置の操作パネルに表示される画面の図
【図７】図１に示した画像形成装置において実行されるオートクリア処理を説明するための図
【図８】図１に示した画像形成装置において実行されるオートクリア処理を説明するための図
【図９】図１に示した画像形成装置において実行されるオートクリア処理を説明するための図
【図１０】図１に示した画像形成装置においてオートクリア処理が実行されるまでの流れを説明するための図
【発明を実施するための形態】
【００２３】
以下に、図１を参照して、本発明の一実施形態による画像形成装置１００の全体構成について説明する。
【００２４】
本実施形態の画像形成装置１００は、複合機であり、コピー、プリンター、スキャナーおよびファックスなどの複数種のジョブの実行が可能である。そして、この画像形成装置１００は、操作パネル１０１、原稿搬送部１０２Ａ、画像読取部１０２Ｂ、給紙部１０３、用紙搬送部１０４、画像形成部１０５および定着部１０６などを備える。なお、原稿搬送部１０２Ａ、画像読取部１０２Ｂ、給紙部１０３、用紙搬送部１０４、画像形成部１０５および定着部１０６は、ジョブ実行部に相当する
【００２５】
操作パネル１０１は、たとえば、装置正面側に配置されている。この操作パネル１０１は、図２に示すように、表示面がタッチパネル１１で覆われた液晶表示部１２を有する。タッチパネル１１（液晶表示部１２）には、設定値の変更を受け付ける設定キーが表示されるとともに、装置状態を示すメッセージなども表示される。また、操作パネル１０１には、数値入力を受け付けるハードキーとしてのテンキー１３（設定キーに相当）や、ジョブ実行の開始指示を受け付けるスタートキー１４も設けられている。さらに、操作パネル１０１には、変更後の設定値を予め定められた初期設定値（デフォルト値）に戻すためのリセット指示を受け付けるリセットキー１５も設けられている。
【００２６】
図１に戻って、原稿搬送部１０２Ａは、画像読取部１０２Ｂの装置背面側に設けられた回転軸（図示せず）を支点として回動可能（開閉可能）に取り付けられている。この原稿搬送部１０２Ａは、原稿セットトレイ２１にセットされた原稿Ｄを引き出し、搬送読取用コンタクトガラス２０ａの上方に送って原稿排出トレイ２２に排出する。原稿セットトレイ２１から原稿排出トレイ２２に至る原稿搬送路には、原稿搬送方向の上流側から順番に、原稿供給ローラー２３、原稿搬送ローラー対２４および原稿排出ローラー対２５が設けられている。そして、原稿セットトレイ２１にセットされた原稿Ｄは、原稿供給ローラー２３によって引き出され、原稿搬送ローラー対２４によって搬送される。この後、原稿排出ローラー対２５によって、原稿排出トレイ２２に排出される。
【００２７】
また、原稿搬送部１０２Ａは、載置読取用コンタクトガラス２０ｂに載置された原稿Ｄを押え付ける機能も有する。すなわち、原稿搬送部１０２Ａを上方向に回動させると、載置読取用コンタクトガラス２０ｂが露出され、載置読取用コンタクトガラス２０ｂへの原稿Ｄの載置が可能となる。載置読取用コンタクトガラス２０ｂに原稿Ｄが載置された後、原稿搬送部１０２Ａを下方向に回動させることによって、載置読取用コンタクトガラス２０ｂに載置された原稿Ｄが原稿搬送部１０２Ａで押え付けられる。
【００２８】
また、原稿搬送部１０２Ａには、原稿Ｄが原稿セットトレイ２１にセットされている場合とセットされていない場合とで出力を変動させる原稿検知センサー２６（図３参照）が設けられているとともに、原稿搬送部１０２Ａが開いている場合と閉じている場合とで出力を変動させる開閉検知センサー２７（図３参照）が設けられている。なお、原稿検知センサー２６および開閉検知センサー２７は、画像形成装置１００に対する操作を検知する検知部に相当する。これら原稿検知センサー２６および開閉検知センサー２７の各出力は、後述する主制御部１１０（図３参照）が受ける。これにより、主制御部１１０は、原稿検知センサー２６の出力に基づき原稿セットトレイ２１への原稿Ｄのセットを検知することができるとともに、開閉検知センサー２７の出力に基づき原稿搬送部１０２Ａの開閉を検知することができる。
【００２９】
画像読取部１０２Ｂは、原稿Ｄを読み取って画像データを生成する。この画像読取部１０２Ｂには、図示しないが、露光ランプ、ミラー、レンズおよびイメージセンサーなどの光学系部材が設けられている。そして、画像読取部１０２Ｂは、搬送読取用コンタクトガラス２０ａを通過する原稿Ｄまたは載置読取用コンタクトガラス２０ｂに載置される原稿Ｄに光を照射し、その原稿Ｄからの反射光を受けたイメージセンサーの出力値をＡ／Ｄ変換することによって、画像データを生成する。これにより、画像読取部１０２Ｂによる原稿Ｄの読み取り動作によって得られた画像データに基づき印刷を行うことができる。また、画像読取部１０２Ｂによる原稿Ｄの読み取り動作によって得られた画像データを蓄積することもできる。
【００３０】
給紙部１０３は、用紙Ｐを収容するカセット３１を複数有し、それら複数のカセット３１に収容された用紙Ｐを用紙搬送部１０４に供給する。この給紙部１０３には、収容された用紙Ｐを引き出すピックアップローラー３２や、用紙Ｐの重送を抑制するための分離ローラー対３３などが設けられている。
【００３１】
また、給紙部１０３には、カセット３１の着脱を検知するための着脱検知センサー３４（図３参照）が設けられている。着脱検知センサー３４は、カセット３１が装着されている場合と取り外されている場合とで出力を変動させる。なお、着脱検知センサー３４は、画像形成装置１００に対する操作を検知する検知部に相当する。この着脱検知センサー３４の出力は、後述する主制御部１１０（図３参照）が受ける。これにより、主制御部１１０は、着脱検知センサー３４の出力に基づき、カセット３１の着脱を検知することができる。
【００３２】
用紙搬送部１０４は、装置内部において用紙Ｐを搬送する。具体的に言うと、給紙部１０３から供給された用紙Ｐは、用紙搬送部１０４によって、画像形成部１０５および定着部１０６をこの順番で通過し、排出トレイ４１にまで導かれる。この用紙搬送部１０４には、用紙Ｐを搬送する複数の搬送ローラー対４２が設けられている。さらに、用紙Ｐを画像形成部１０５の手前で待機させ、タイミングを合わせて画像形成部１０５に送り出すレジストローラー対４３も設けられている。
【００３３】
画像形成部１０５は、画像データに基づきトナー像を形成し、そのトナー像を用紙Ｐに転写する。画像形成部１０５は、感光体ドラム５１、帯電装置５２、露光装置５３、現像装置５４、転写ローラー５５およびクリーニング装置５６などを含んでいる。
【００３４】
トナー像の形成プロセスおよびトナー像の転写プロセスとしては、まず、感光体ドラム５１を回転駆動させ、その感光体ドラム５１の表面を帯電装置５２で所定電位に帯電させる。また、露光装置５３は、画像データに基づき光ビームＬを出力し、感光体ドラム５１の表面を走査露光する。これにより、感光体ドラム５１の表面に静電潜像を形成する。続いて、現像装置５４は、感光体ドラム５１の表面に形成された静電潜像にトナーを供給して現像する。
【００３５】
そして、転写ローラー５５は、感光体ドラム５１の表面に圧接する。この後、レジストローラー対４３がタイミングを計り、転写ローラー５５と感光体ドラム５１との間に用紙Ｐを進入させる。このとき、転写ローラー５５には所定の電圧が印加される。これによって、感光体ドラム５１の表面のトナー像が用紙Ｐに転写される。なお、トナー像の転写プロセスが終わると、クリーニング装置５６は、感光体ドラム５１の表面に残留するトナーなどを除去する。
【００３６】
定着部１０６は、用紙Ｐに転写されたトナー像を加熱・加圧して定着させる。この定着部１０６は、発熱源を内蔵する定着ローラー６１と、定着ローラー６１に圧接される加圧ローラー６２とを含んでいる。そして、トナー像が転写された用紙Ｐは、定着ローラー６１と加圧ローラー６２との間を通過することで、加熱・加圧される。これにより、用紙Ｐにトナー像が定着され、印刷ジョブが完了する。そして、印刷済みの用紙Ｐは、搬送ローラー対４２によって排出トレイ４１に送られる。
【００３７】
次に、図３を参照して、画像形成装置１００のハードウェア構成について説明する。
【００３８】
画像形成装置１００は、主制御部１１０（制御部に相当）を備え、その主制御部１１０は、中央演算処理装置であるＣＰＵ１１１、画像処理部１１２および記憶部１１３などを含む。画像処理部１１２は、画像処理専用のＡＳＩＣやメモリーなどからなっており、画像データに対して、拡大／縮小、濃度変換およびデータ形式変換などの各種の画像処理を施す。記憶部１１３は、ＲＯＭ、ＲＡＭおよびＨＤＤなどからなる。そして、記憶部１１３は、たとえば、ジョブの実行に必要なプログラムおよびデータをＲＯＭに格納し、それらプログラムおよびデータをＲＡＭに展開する。
【００３９】
また、主制御部１１０は、原稿搬送部１０２Ａ、画像読取部１０２Ｂ、給紙部１０３、用紙搬送部１０４、画像形成部１０５および定着部１０６と接続される。さらに、主制御部１１０は、画像形成装置１００に対する操作を検知するための各種検知部（原稿検知センサー２６、開閉検知センサー２７および着脱検知センサー３４など）と接続される。そして、主制御部１１０は、記憶部１１３に記憶されたプログラムおよびデータに基づき、全体制御、画像処理制御、および、各種回転体を回転させるモーターの駆動制御などを行う。なお、主制御部１１０は、全体制御や画像処理制御を行う制御部と、各種回転体を回転させるモーターの駆動制御を行う制御部とに分割されていてもよい。
【００４０】
操作パネル１０１は、主制御部１１０に接続される表示制御部１６を有する。表示制御部１６は、ＣＰＵなどからなり、表示動作を制御する。具体的には、表示制御部１６は、タッチパネル１１（液晶表示部１２）に表示されたソフトキーがユーザーによって押下されると、タッチパネル１１の出力を受けて押下位置の座標を特定する。たとえば、タッチパネル１１の出力と押下位置の座標との対応を示すテーブルなどのデータは、記憶部１７（あるいは、記憶部１１３）に記憶される。なお、主制御部１１０が表示動作を制御してもよい。
【００４１】
また、表示制御部１６は、ユーザーが操作パネル１０１に対して行ったキー操作に基づき、記憶部１７（あるいは、記憶部１１３）に格納された情報を読み出し、適切な画面をタッチパネル１１（液晶表示部１２）に表示させる。たとえば、表示制御部１６は、図４に示すように、ジョブの機能に関する設定値の変更を受け付けるための機能画面ＦＳをタッチパネル１１に表示させる。なお、図４には、一例として、コピージョブの機能画面ＦＳを図示している。
【００４２】
コピージョブの機能画面ＦＳには、たとえば、用紙選択、縮小／拡大、濃度、両面／分割、ページ集約およびソート／仕分けなどの機能の名称がそれぞれ付された複数の機能設定キーＦＫ（設定キーに相当）が設けられている。また、機能設定キーＦＫには、現時点の設定値が表示されている。これら複数の機能設定キーＦＫは、設定値を変更する機能をユーザーに選択してもらうための設定キーである。すなわち、ユーザーは、設定値の変更を行うとき、複数の機能設定キーＦＫのうちから、設定値を変更する機能の名称を表示名とする機能設定キーＦＫを押下する。
【００４３】
たとえば、用紙選択の機能設定キーＦＫがユーザーによって押下されると、表示制御部１６は、図５に示すように、複数の設定値入力キーＳＫ（設定キーに相当）を含む設定値入力画面ＩＳをタッチパネル１１（液晶表示部１２）に表示させる。これにより、ユーザーは、設定値入力画面ＩＳに対してキー操作（複数の設定値入力キーＳＫのうちのいずれかを押下する操作）を行うことにより、設定値を変更することができる。たとえば、ユーザーは、Ａ４サイズの用紙Ｐでの印刷を行おうとする場合、「カセット１」という表示名の設定値入力キーＳＫを押下する。
【００４４】
また、たとえば、縮小／拡大の機能設定キーＦＫがユーザーによって押下されると、表示制御部１６は、図６に示すように、複数の設定値入力キーＳＫ（設定キーに相当）を含む設定値入力画面ＩＳをタッチパネル１１（液晶表示部１２）に表示させる。これにより、ユーザーは、設定値入力画面ＩＳに対してキー操作（複数の設定値入力キーＳＫのうちのいずれかを押下する操作）を行うことにより、設定値を変更することができる。たとえば、ユーザーは、Ａ４サイズからＡ３サイズに拡大して印刷を行おうとする場合、「１４１％」という表示名の設定値入力キーＳＫを押下する。あるいは、ユーザーは、設定値入力キーＳＫとしてのプラスキーおよびマイナスキーのいずれかを押下すると、倍率を任意に変更することができる。
【００４５】
ユーザーは、設定値入力画面ＩＳでの設定値の変更を終えると、確定キーＤＫ（設定キーに相当）を押下する。表示制御部１６は、ユーザーによる確定キーＤＫの押下を受けて、図４に示した機能画面ＦＳをタッチパネル１１（液晶表示部１２）に再び表示させる。このとき、タッチパネル１１は、機能設定キーＦＫに表示する設定値を変更する（変更後の設定値を表示する）。また、主制御部１１０は、変更後の設定値を記憶部１１３に記憶させる。
【００４６】
この後、ジョブスタートキーＪＫをユーザーが押下する、あるいは、スタートキー１４（図２参照）をユーザーが押下すると、主制御部１１０は、変更後の設定値に基づきジョブを実行する。また、設定値の変更後、ユーザーがリセットキー１５（図２参照）を押下すると、主制御部１１０は、変更後の設定値をデフォルト値に戻す。
【００４７】
なお、以下の説明では、機能設定キーＦＫ、設定値入力キーＳＫおよび確定キーＤＫなどの設定キーを総じて単に設定キーと称する。また、テンキー１３も設定キーと称する。
【００４８】
図３に戻り、主制御部１１０は、通信部１２０と接続される。通信部１２０は、たとえば、外部のコンピューター２００とネットワークＮＴを介して通信可能に接続される。これにより、コンピューター２００から送信された画像データに基づき印刷を行うことができ、画像読取部１０２Ｂによる原稿Ｄの読み取り動作によって得られた画像データをコンピューター２００に送信することもできる。また、通信部１２０にモデムなどを内蔵してもよく、この場合、電話回線などのネットワークＮＴを介して、外部のファックス装置３００とファックス通信を行うことができる。
【００４９】
なお、通信部１２０は、画像形成装置１００に対する操作を検知する検知部に相当する。すなわち、主制御部１１０は、コンピューター２００やファックス装置３００などの外部機器からのデータを通信部１２０が受信すると、画像形成装置１００に対して操作が行われたと認識する。
【００５０】
また、主制御部１１０は、電源部１３０と接続される。電源部１３０は、商用電源と接続され、装置各部を動作させるのに必要な電圧を生成する。そして、電源部１３０は、通常モードのときには、装置各部の全部分に電力を供給する。その一方、電源部１３０は、通常モードから省電力モードに移行したとき、装置各部のうちの一部にのみ電力を供給し、それ以外の部分（ジョブ実行部）への電力の供給を停止する。
【００５１】
たとえば、主制御部１１０は、装置が使用されないまま経過した未使用時間を計時し、未使用時間が一定時間を超えると、装置各部のうちの一部のみへの電力供給を電源部１３０に行わせ、通常モードからから省電力モードに移行させる。あるいは、主制御部１１０は、通常モードから省電力モードへの移行指示を操作パネル１０１が受け付けた場合（たとえば、操作パネル１０１に設けられた節電キーが押下された場合）にも、通常モードから省電力モードに移行させる。そして、電源部１３０は、省電力モードから通常モードへの復帰条件が満たされたこと示す信号を復帰条件検知部から受けると、装置各部の全部分への電力供給を再開し、省電力モードから通常モードへ復帰させる。
【００５２】
なお、電源部１３０は、省電力モードから通常モードへの復帰条件が満たされたこと示す信号を復帰条件検知部から受けるため、省電力モードであったとしても、復帰条件検知部への電力供給は続ける。
【００５３】
復帰条件検知部に相当する部分としては、操作パネル１０１が挙げられる。たとえば、操作パネル１０１は、省電力モードのときにユーザーによって操作されると、省電力モードから通常モードへの復帰条件が満たされたことを示す信号を電源部１３０に送信する。そして、電源部１３０は、省電力モードのときに操作パネル１０１からの信号を受信すると、省電力モードから通常モードに復帰させる。
【００５４】
また、通信部１２０も復帰条件検知部として機能する。すなわち、通信部１２０は、省電力モードのときに、コンピューター２００やファックス装置３００などの外部機器からデータを受信すると、省電力モードから通常モードへの復帰条件が満たされたことを示す信号を電源部１３０に送信する。そして、電源部１３０は、省電力モードのときに通信部１２０から信号を受信すると、省電力モードからから通常モードに復帰させる。
【００５５】
さらに、原稿検知センサー２６、開閉検知センサー２７および着脱検知センサー３４なども復帰条件検知部として機能する。すなわち、電源部１３０は、省電力モードのとき、原稿セットトレイ２１に原稿Ｄがセットされたり、原稿搬送部１０２Ａが開閉されたり、カセット３１が着脱されたりすると、省電力モードから通常モードに復帰させる。
【００５６】
ここで、主制御部１１０は、ユーザーが操作パネル１０１を操作してジョブの機能に関する設定値の変更を行った場合、設定値の変更のためのキー操作が行われた時点または変更後の設定値に基づくジョブ終了の時点から画像形成装置１００に対する操作を検知部（操作パネル１０１、原稿検知センサー２６、開閉検知センサー２７、着脱検知センサー３４および通信部１２０など）が検知しないままオートクリア時間が経過した時点で、変更後の設定値を初期設定値（デフォルトの設定値）に自動的に変更するオートクリア処理を実行する。なお、表示制御部１６がオートクリア処理を実行してもよい。
【００５７】
しかし、オートクリア時間（設定値の変更のためのキー操作が行われた時点または変更後の設定値に基づくジョブ終了の時点からオートクリア処理が実行されるまでの時間）が比較的短い時間に固定されていると、ユーザーが設定値の変更を行っている最中にオートクリア処理が実行される危険性が高い。
【００５８】
また、たとえば、通常モードから省電力モードに移行するタイミングを、オートクリア処理を実行した時点またはオートクリア処理が実行されてから一定時間が経過した時点に設定する場合がある。この場合、オートクリア時間が固定的に長く設定されていれば、通常モードから省電力モードに移行するタイミングが遅くなる（省電力モードに移行するまでに時間がかかる）。このため、省電力効果が低下してしまう。
【００５９】
このような不都合を解消するため、本実施形態では、主制御部１１０（あるいは、表示制御部１６）は、ユーザーが操作パネル１０１を操作してジョブの機能に関する設定値の変更を行った場合（たとえば、図４に示した機能設定キーＦＫや、図５および図６に示した設定値入力キーＳＫをユーザーが押下した場合）、設定値の変更時における設定キーの押下回数に応じて、オートクリア時間を変更する。具体的には、主制御部１１０は、設定値の変更のためのキー操作が行われたとき、設定値の変更時における設定キーの押下回数をカウントして記憶部１１３に記憶させる。そして、主制御部１１０は、設定キーの押下回数が多いほど、オートクリア時間が長くなるようにオートクリア時間を設定する。たとえば、主制御部１１０は、オートクリア時間を設定するとき、設定値の変更時における設定キーの押下回数が増加する毎にオートクリア時間を所定時間ずつ長くする。
【００６０】
一例として、図７に示すように、省電力モードから通常モードに移行してから、時点Ｐ１〜Ｐ３に１回ずつ順番に設定値の変更のためのキー操作が行われたとする。すなわち、設定値の変更時における設定キーの押下回数は３回である。この場合、主制御部１１０は、たとえば、時点Ｐ１において、時点Ｐ１までの設定キーの押下回数（＝１）に所定時間Ｔ（たとえば、数秒〜数十秒）を乗じた時間（＝１×Ｔ）を算出する。または、その時間にデフォルト値ＤＴを加算した時間（＝１×Ｔ＋ＤＴ）を算出する。そして、主制御部１１０は、時点Ｐ１で算出した時間をオートクリア時間ＡＴに設定する。仮に、時点Ｐ１以降、時点Ｐ１で設定したオートクリア時間ＡＴが経過するまでにキー操作が無ければ、オートクリア時間ＡＴが経過した時点で、オートクリア処理が実行される（時点Ｐ１で行ったキー操作はリセットされ、設定値は初期設定値となる）。
【００６１】
ここでは、時点Ｐ１以降、オートクリア時間ＡＴが経過する前の時点Ｐ２で２回目のキー操作があったとする。この場合、主制御部１１０は、時点Ｐ２において、時点Ｐ２までの設定キーの押下回数（＝２）に所定時間Ｔを乗じた時間（＝２×Ｔ）を算出する。または、その時間にデフォルト値ＤＴを加算した時間（＝２×Ｔ＋ＤＴ）を算出する。そして、主制御部１１０は、時点Ｐ２で算出した時間をオートクリア時間ＡＴに設定する。このため、時点Ｐ２で設定したオートクリア時間ＡＴは、時点Ｐ１で設定したオートクリア時間ＡＴよりも所定時間Ｔだけ長い。仮に、時点Ｐ２以降、時点Ｐ２で設定したオートクリア時間ＡＴが経過するまでにキー操作が無ければ、オートクリア時間ＡＴが経過した時点で、オートクリア処理が実行される（時点Ｐ１およびＰ２で行ったキー操作はリセットされ、設定値は初期設定値となる）。
【００６２】
ここでは、時点Ｐ２以降、オートクリア時間ＡＴが経過する前の時点Ｐ３で３回目のキー操作があったとする。この場合、主制御部１１０は、時点Ｐ３において、時点Ｐ３までの設定キーの押下回数（＝３）に所定時間Ｔを乗じた時間（＝３×Ｔ）を算出する。または、その時間にデフォルト値ＤＴを加算した時間（＝３×Ｔ＋ＤＴ）を算出する。そして、主制御部１１０は、時点Ｐ３で算出した時間をオートクリア時間ＡＴに設定する。このため、時点Ｐ３で設定したオートクリア時間ＡＴは、時点Ｐ２で設定したオートクリア時間ＡＴよりも所定時間Ｔだけ長い。言い換えると、設定キーの押下回数が１回増加する毎に、オートクリア時間ＡＴが所定時間Ｔずつ長くなる。
【００６３】
この後、ジョブが実行されずに放置されたとする。この場合、時点Ｐ３で設定したオートクリア時間ＡＴ（３×Ｔまたは３×Ｔ＋ＤＴ）が経過した時点で、オートクリア処理が実行される（時点Ｐ１〜Ｐ３で行ったキー操作はリセットされ、設定値は初期設定値となる）。
【００６４】
一方で、図８に示すように、時点Ｐ３以降、時点Ｐ３で設定したオートクリア時間ＡＴが経過するまでにジョブが実行されたとする。この場合、ジョブ終了の時点からオートクリア時間ＡＴが経過した時点で、オートクリア処理が実行される（時点Ｐ１〜Ｐ３で行ったキー操作はリセットされ、設定値は初期設定値となる）。
【００６５】
なお、オートクリア時間ＡＴの設定方法は特に限定されるものではない。たとえば、設定キーの押下回数が複数回単位で増加する毎に、オートクリア時間ＡＴが所定時間Ｔずつ長くなるようにしてもよい。
【００６６】
また、図９に示すように、ジョブ終了の時点から時点Ｐ３で設定したオートクリア時間ＡＴが経過する前の時点Ｐ４に、設定値の変更のためのキー操作が新たに行われたとする。この場合、主制御部１１０は、ジョブ実行前の設定値の変更時における設定キーの押下回数とジョブ終了後の設定値の変更時における設定キーの押下回数とを合計した設定キーの押下回数に基づき、オートクリア時間を設定する。すなわち、主制御部１１０は、時点Ｐ４において、時点Ｐ４までの設定キーの押下回数（＝４）に所定時間Ｔを乗じた時間（＝４×Ｔ）を算出する。または、その時間にデフォルト値ＤＴを加算した時間（＝４×Ｔ＋ＤＴ）を算出する。そして、主制御部１１０は、時点Ｐ４で算出した時間をオートクリア時間ＡＴに設定する。このため、時点Ｐ４で設定したオートクリア時間ＡＴは、時点Ｐ３で設定したオートクリア時間ＡＴよりも所定時間Ｔだけ長い。
【００６７】
そして、主制御部１１０は、オートクリア処理を実行した後、直近にカウントした設定キーの押下回数をリセットする。したがって、主制御部１１０は、オートクリア処理を実行した後、設定値の変更のためのキー操作が行われれば、オートクリア処理を実行した後の最初の設定キーに対する押下を１回目とカウントする。
【００６８】
あるいは、主制御部１１０は、操作パネル１０１のリセットキー１５が押下されたときに、変更後の設定値を初期設定値に戻す。したがって、主制御部１１０は、操作パネル１０１のリセットキー１５が押下されたときに、直近にカウントした設定キーの押下回数をリセットする。
【００６９】
なお、たとえば、図６に示した設定値入力画面ＩＳにおいては、設定値入力キーＳＫとしてのプラスキーおよびマイナスキーのいずれかが押下されることによって、同一の設定値が連続して変更される場合がある。このように同一の設定値を連続して変更するキー操作が行われたとき、主制御部１１０は、連続するキー操作のうち、最初の設定キーの押下時点では、オートクリア時間を長くする設定を行い、以降の設定キーの押下時点では、オートクリア時間を長くする設定は行わず、最初の設定キーの押下時点で設定したオートクリア時間をそのまま適用する。
【００７０】
たとえば、図７に示した例において、時点Ｐ１〜Ｐ３で同一の設定キーが連続して押下されとする。この場合、主制御部１１０は、まず、時点Ｐ１において、オートクリア時間ＡＴを長くする設定を行う。そして、主制御部１１０は、以降の時点Ｐ２およびＰ３では、オートクリア時間ＡＴを長くする設定は行わず、時点Ｐ１で設定したオートクリア時間ＡＴをそのまま適用する。すなわち、主制御部１１０は、時点Ｐ３以降、時点Ｐ１で設定したオートクリア時間ＡＴが経過するまでにキー操作が行われなければ、オートクリア処理を実行する。
【００７１】
また、主制御部１１０は、原稿セットトレイ２１に原稿Ｄがセットされたとき（原稿検知センサー２６の出力に基づき原稿セットトレイ２１への原稿Ｄのセットを検知したとき）には、原稿セットトレイ２１への原稿Ｄのセットを検知した時点を直近に設定したオートクリア時間の起点とする。さらに、主制御部１１０は、原稿搬送部１０２が開閉されたとき（開閉検知センサー２７の出力に基づき原稿搬送部１０２の開閉を検知したとき）には、原稿搬送部１０２の開閉を検知した時点を直近に設定したオートクリア時間の起点とする。その後、主制御部１１０は、設定値の変更のためのキー操作が再度行われれば、そのときの設定キーの押下回数に応じて、直近に設定したオートクリア時間をさらに長くする。
【００７２】
たとえば、図７に示した例において、時点Ｐ３以降、時点Ｐ３で設定されたオートクリア時間ＡＴが経過するまでに原稿セットトレイ２１に原稿Ｄがセットされたとする。この場合、主制御部１１０は、原稿セットトレイ２１への原稿Ｄのセットを検知した時点を、時点Ｐ３で設定したオートクリア時間ＡＴの起点とする。すなわち、主制御部１１０は、原稿セットトレイ２１への原稿Ｄのセットを検知した時点以降、時点Ｐ３で設定したオートクリア時間ＡＴが経過するまでにキー操作が行われなければ、オートクリア処理を実行する。
【００７３】
ところで、オートクリア処理を実行した直後に設定値の変更のためのキー操作が行われた場合には、ユーザーが設定値の変更を終える前にオートクリア処理を実行した可能性がある。すなわち、オートクリア処理に入るタイミングが早過ぎたと考えられる。したがって、この場合には、所定時間（設定キーの押下回数が増加する毎にオートクリア時間に加算する時間）を従前の所定時間よりも長くしてもよい。
【００７４】
また、設定キーの押下回数に応じてオートクリア時間を設定する場合、ユーザーがキー操作を間違えるなどして設定キーの押下回数が非常に多くなると、オートクリア時間が長くなり過ぎてしまうことがある。したがって、記憶部１１３には、予め定められた上限時間が記憶されている。そして、主制御部１１０は、オートクリア時間が上限時間を超える場合、上限時間をオートクリア時間として設定する。すなわち、主制御部１１０は、上限時間を越えないようにオートクリア時間を設定することになる。
【００７５】
次に、図１０を参照して、オートクリア時間を設定してからオートクリア処理を実行するまでの流れを説明する。
【００７６】
図１０のフローは、たとえば、省電力モードから通常モードに移行したとき、従前に行ったオートクリア処理が完了したとき、あるいは、操作パネル１０１のリセットキー１５が押下されたとき、などにスタートする。すなわち、図１０のフローのスタート時点は、ジョブの機能に関する設定値が初期設定値となっている。
【００７７】
ステップＳ１において、主制御部１１０は、設定値の変更のためのキー操作が操作パネル１０１に対して行われたか否かを判断する。判断の結果、設定値の変更のためのキー操作が行われていれば、ステップＳ２に移行し、設定値の変更のためのキー操作が行われていなければ、ステップＳ１の判断を繰り返す。
【００７８】
ステップＳ２において、主制御部１１０は、設定値の変更時における設定キーの押下回数に基づき、オートクリア時間を設定するための時間（たとえば、設定キーの押下回数に所定時間を乗じた時間、または、その時間にデフォルト値を加算した時間）を算出する。ただし、同一の設定値を連続して変更するキー操作が行われた場合には、連続するキー操作のうち、最初の設定キーの押下時点で算出した時間を、以降の設定キーの押下時点にも適用する。
【００７９】
ステップＳ３において、主制御部１１０は、算出した時間が予め定められた上限時間を超えるか否かを判断する。判断の結果、算出時間が上限時間を越えていれば、ステップＳ４に移行し、主制御部１１０は、上限時間をオートクリア時間として設定する。一方で、算出時間が上限時間を超えていなければ、ステップＳ５に移行し、主制御部１１０は、算出時間をオートクリア時間として設定する。ステップＳ４およびＳ５の後、ステップＳ６に移行する。
【００８０】
ステップＳ６において、主制御部１１０は、オートクリア時間の経過前に設定値の変更のためのキー操作が行われたか否かを判断する。判断の結果、オートクリア時間の経過前にキー操作が行われていれば、ステップＳ２に移行する。一方で、オートクリア時間の経過前にキー操作が行われていなければ、ステップＳ７に移行する。
【００８１】
ステップＳ７に移行すると、主制御部１１０は、オートクリア時間の経過前にジョブ実行の指示を受け付けたか否かを判断する。判断の結果、オートクリア時間の経過前にジョブ実行の指示を受け付けていれば、ステップＳ８に移行し、主制御部１１０は、指示を受けたジョブを実行させる。
【００８２】
ステップＳ９において、主制御部１１０は、ジョブが終了したか否かを判断する。判断の結果、ジョブが終了していれば、ステップＳ６に移行し、ジョブが終了していなければ、ステップＳ９の判断を繰り返す。
【００８３】
また、ステップＳ７において、オートクリア時間の経過前にジョブ実行の指示を受け付けていない場合には、ステップ１０に移行する。ステップＳ１０に移行すると、主制御部１１０は、設定値の変更のためのキー操作が行われた時点または変更後の設定値に基づくジョブ終了の時点からオートクリア時間が経過したか否かを判断する。判断の結果、オートクリア時間が経過していれば、ステップＳ１１に移行し、主制御部１１０は、オートクリア処理を実行する。一方で、オートクリア時間が経過していなければ、ステップＳ６に移行する。
【００８４】
なお、電源部１３０は、主制御部１１０がオートクリア処理を実行した時点または主制御部１１０がオートクリア処理を実行してから一定時間が経過した時点で、通常モードから省電力モードに移行する。
【００８５】
本実施形態では、上記のように、主制御部１１０（制御部）は、設定値の変更時における設定キーの押下回数をカウントし、設定キーの押下回数が多いほど、オートクリア時間が長くなるようにオートクリア時間を設定する。
【００８６】
すなわち、本実施形態では、設定値の変更時における設定キーの押下回数が多くなれば、設定値の変更のためのキー操作が行われた時点からオートクリア処理が実行されるまでの時間が長くなる。これにより、多くのキー操作を必要とする（設定キーの押下回数が多くなる）設定値の変更を行いたいユーザーからすると、設定値の変更を行っている最中に画像形成装置１００から一旦離れるなどした場合（直近の設定キーの押下から次に設定キーを押下するまでに時間がかかる場合）であっても、オートクリア処理が実行されることに起因して設定値の変更のためのキー操作を最初からやり直さなければならない（多くのキー操作を行わなければならない）、という不都合の発生が抑制され、利便性が良い。
【００８７】
また、本実施形態では、設定値の変更時における設定キーの押下回数が多くなれば、変更後の設定値に基づくジョブ終了の時点からオートクリア処理が実行されるまでの時間が長くなる。これにより、変更後の設定値に基づくジョブ終了後に再度同じ設定でジョブを実行させたいユーザーからすると、変更後の設定値に基づくジョブ終了後に短時間でオートクリア処理が実行されることに起因して設定値の変更のためのキー操作を最初からやり直さなければならない（多くのキー操作を行わなければならない）、という不都合の発生が抑制され、利便性が良い。
【００８８】
さらに、本実施形態では、設定値の変更時における設定キーの押下回数が少なければ、設定値の変更のためのキー操作が行われた時点または変更後の設定値に基づくジョブ終了の時点からオートクリア処理が実行されるまでの時間が短くなる。すなわち、オートクリア時間が常に長く設定されているわけではない。これにより、従前に変更された設定値が長時間にわたってそのまま保存されていることに起因してユーザーが意図しない設定値（従前に変更された設定値）で誤ってジョブを実行してしまう、という不都合の発生を抑制することができ、ユーザーの利便性が向上する。なお、設定値の変更が比較的少ないキー操作で済む場合、仮に、オートクリア処理の実行により変更後の設定値がユーザーの意図に反して初期設定値に戻ってしまったとしても、比較的少ないキー操作で設定値を再度変更することができるので、ユーザーにかかる負担は少ない。
【００８９】
また、本実施形態では、上記のように、主制御部１１０は、変更後の設定値に基づくジョブ終了の時点からオートクリア時間が経過するまでの間に、設定値の変更のためのキー操作が新たに行われた場合、ジョブ実行前の設定値の変更時における設定キーの押下回数とジョブ終了後の設定値の変更時における設定キーの押下回数とを合計した設定キーの押下回数に基づき、オートクリア時間を設定する。これにより、変更後の設定値に基づくジョブ終了後に従前の設定値（変更後の設定値）に対して再度変更を加えたいユーザーからすると、変更後の設定値に基づくジョブ終了後に再度行った設定値の変更時の設定キーの押下回数の増加に応じてオートクリア時間がさらに長くなるので、オートクリア処理の実行タイミングが早いことに起因して設定値の変更のためのキー操作を最初からやり直さなければならない（多くのキー操作を行わなければならない）、という不都合の発生が抑制され、利便性が良い。
【００９０】
また、本実施形態では、上記のように、主制御部１１０は、オートクリア処理を実行した後、直近にカウントした設定キーの押下回数をリセットする。これにより、カウントした設定キーの押下回数が累積され続けることに起因してオートクリア時間が長くなり過ぎてしまう（次にオートクリア処理を実行するまでに時間がかかってしまう）、という不都合が発生するのを抑制することができる。
【００９１】
また、本実施形態では、上記のように、主制御部１１０は、オートクリア時間を設定するとき、設定値の変更時における設定キーの押下回数が増加する毎にオートクリア時間を所定時間ずつ長くする。これにより、容易に、オートクリア時間を設定値の変更時における設定キーの押下回数に応じた時間にすることができる。
【００９２】
ここで、オートクリア処理を実行した直後に設定値の変更のためのキー操作が行われた場合には、ユーザーが設定値の変更を終える前にオートクリア処理を実行した可能性がある。すなわち、オートクリア処理に入るタイミングが早過ぎたと考えられる。したがって、このような不都合を解消するためには、オートクリア処理を実行した後、予め定められた時間が経過する前に設定値の変更のためのキー操作が行われた場合に、所定時間（設定キーの押下回数が増加する毎にオートクリア時間に加算する時間）を従前の所定時間よりも長くすればよい。
【００９３】
また、本実施形態では、上記のように、主制御部１１０は、同一の設定値を連続して変更するキー操作が行われたとき、連続するキー操作のうち、最初の設定キーの押下時点では、オートクリア時間を長くする設定を行い、以降の設定キーの押下時点では、オートクリア時間を長くする設定は行わず、最初の設定キーの押下時点で設定したオートクリア時間をそのまま適用する。これにより、設定値の変更のためのキー操作そのものは容易である（同一の設定キーを押下するだけでよい）にもかかわらずオートクリア時間が長くなり過ぎてしまう、という不都合が生じるのを抑制することができる。
【００９４】
また、本実施形態では、記憶部１１３は、オートクリア時間の上限時間を記憶し、主制御部１１０は、上限時間を越えないようにオートクリア時間を設定する。これにより、ユーザーが設定値の変更のためのキー操作を間違えるなどして設定キーの押下回数が非常に多くなったとしても、オートクリア時間が長くなり過ぎることはない。
【００９５】
また、本実施形態では、主制御部１１０は、原稿検知センサー２６の出力により原稿搬送部１０２Ａへの原稿Ｄのセットを検知したときには、原稿搬送部１０２Ａへの原稿Ｄのセットを検知した時点を直近に設定したオートクリア時間の起点とし、開閉検知センサー２７の出力により原稿搬送部１０２Ａの開閉を検知したときには、原稿搬送部１０２Ａの開閉を検知した時点を直近に設定したオートクリア時間の起点とする。これにより、ユーザーからすると、原稿搬送部１０２Ａに原稿のセットした時点または原稿搬送部１０２Ａを開閉した時点がオートクリア時間の起点となるので、利便性が良い。
【００９６】
また、本実施形態では、上記のように、電源部１３０は、通常モードでは、画像形成部１０５や定着部１０６などのジョブ実行部に通常の電力供給を行い、主制御部１１０がオートクリア処理を実行した時点または主制御部１１０がオートクリア処理を実行してから一定時間が経過した時点で、通常モードから省電力モードに移行し、省電力モードでは、ジョブ実行部に行う電力供給を停止する。これにより、オートクリア時間が短く設定された場合（オートクリア処理に入るタイミングが早い場合）には、通常モードから省電力モードへの移行タイミングが早くなるので、省電力効果が高まる。
【００９７】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００９８】
１３  テンキー（設定キー）
２６  原稿検知センサー（検知部）
２７  開閉検知センサー（検知部）
３４  脱着検知センサー（検知部）
１００  画像形成装置
１０１  操作パネル
１０２Ａ  原稿搬送部（ジョブ実行部）
１０２Ｂ  画像読取部（ジョブ実行部）
１０３  給紙部（ジョブ実行部）
１０４  用紙搬送部（ジョブ実行部）
１０５  画像形成部（ジョブ実行部）
１０６  定着部（ジョブ実行部）
１１０  主制御部（制御部）
１１３  記憶部
１２０  通信部（検知部）
１３０  電源部
ＦＫ  機能設定キー（設定キー）
ＳＫ  設定値入力キー（設定キー）
【図１】
0005872013.tif 000002
【図２】
0005872013.tif 000003
【図３】
0005872013.tif 000004
【図４】
0005872013.tif 000005
【図５】
0005872013.tif 000006
【図６】
0005872013.tif 000007
【図７】
0005872013.tif 000008
【図８】
0005872013.tif 000009
【図９】
0005872013.tif 000010
【図１０】
0005872013.tif 000011